(57)【要約】【課題】無線通信端末機に内蔵されるアンテナ組立体が提供される。【解決手段】本発明の無線通信端末機のアンテナ組立体は、基板；上記基板上に搭載され、上記基板の上部面一部が露出するよう貫通形成された配置部を少なくとも一つ以上備えるケース；上記基板の電気信号を外部へ放射し、外部信号を受信するよう上記ケースの上部面に搭載されるアンテナ部；及び、上記基板とアンテナ部とを電気的に連結するよう上記基板とアンテナ部に上、下端が各々接し、上記基板、アンテナ部との接触状態を維持する弾性力を提供するよう上記配置部に配される弾性部;を含む。本発明の無線通信端末機のアンテナ組立体によると、電気信号と電波が通過する経路を常に一定にして均一な性能を発揮でき、構成部品を減らして製造原価を節減し、組立作業性を向上させることができる。【選択図】図２
2006180447.tif 000002
【特許請求の範囲】
【請求項１】
無線通信端末機に内蔵されるアンテナ組立体であって、
基板と、
上記基板上に搭載され、上記基板の上部面の一部が露出するように貫通形成された配置部を少なくとも一つ以上備えるケースと、
上記基板の電気信号を外部へ放射し、かつ外部信号を受信するように、上記ケースの上部面に搭載されるアンテナ部と、
上記基板とアンテナ部とを電気的に連結するように上記基板とアンテナ部に上下端が各々接し、上記基板及びアンテナ部との接触状態を維持する弾性力を提供するように上記配置部に配される弾性部と
を備える無線通信端末機用内蔵型アンテナ組立体。
【請求項２】
上記配置部は、内周面に上記弾性部の一部が係止する係止片を少なくとも一つ以上備えることを特徴とする請求項１に記載の無線通信端末機用内蔵型アンテナ組立体。
【請求項３】
上記配置部は、絶縁体からなることを特徴とする請求項１に記載の無線通信端末機用内蔵型アンテナ組立体。
【請求項４】
上記アンテナ部は、上記ケースの上面に備えられる複数の上部組立片に着脱可能に組み立てられることを特徴とする請求項１に記載の無線通信端末機用内蔵型アンテナ組立体。
【請求項５】
上記アンテナ部は、上記ケースの上面にボンディング接着されて固定されることを特徴とする請求項１に記載の無線通信端末機用内蔵型アンテナ組立体。
【請求項６】
上記アンテナ部は、上記ケースの上面に熱融着されて固定されることを特徴とする請求項１に記載の無線通信端末機用内蔵型アンテナ組立体。
【請求項７】
上記弾性部は、上記基板の上部面と接触する下端から上記アンテナ部の下部面と接触する上端まで延長される本体に弾性力を与えるように少なくとも１サイクル以上の波形で屈曲するメアンダスプリングであることを特徴とする請求項１に記載の無線通信端末機用内蔵型アンテナ組立体。
【請求項８】
上記弾性部は、本体が上端から下端へ向かって直径が漸次狭くなるように備えられることを特徴とする請求項７に記載の無線通信端末機用内蔵型アンテナ組立体。
【請求項９】
上記弾性部は、本体が上端から下端へ向かって直径が一定になるように備えられることを特徴とする請求項７に記載の無線通信端末機用内蔵型アンテナ組立体。
【請求項１０】
上記弾性部は、本体の一部が互いに向き合わないように両側へ交互に９０°ずつ折れ曲がったベンディング型メアンダスプリングからなることを特徴とする請求項７に記載の無線通信端末機用内蔵型アンテナ組立体。
【請求項１１】
上記弾性部は、本体の一部が互いに向き合うように両側へ交互に９０°ずつ折れ曲がったベンディング型メアンダスプリングからなることを特徴とする請求項７に記載の無線通信端末機用内蔵型アンテナ組立体。
【請求項１２】
上記弾性部は、本体の一部が一側と他側とで相違する大きさの角度で交互に折れ曲がったベンディング型メアンダスプリングからなることを特徴とする請求項７に記載の無線通信端末機用内蔵型アンテナ組立体。
【請求項１３】
上記弾性部は、本体が幅を持つ広幅型メアンダスプリングからなることを特徴とする請求項７に記載の無線通信端末機用内蔵型アンテナ組立体。
【請求項１４】
上記弾性部は、上記基板の上部面と接触する下端から上記アンテナ部の下部面と接触する上端まで延長される本体に弾性力を与えるように少なくとも１サイクル以上巻き取られるコイルスプリングからなることを特徴とする請求項１に記載の無線通信端末機用内蔵型アンテナ組立体。
【請求項１５】
上記ケースには、複数の配置部が備えられ、これに相違する形態の弾性部を各々組み立てることを特徴とする請求項１に記載の無線通信端末機用内蔵型アンテナ組立体。
【請求項１６】
上記ケースには、複数の配置部が備えられ、これに相互同一な形態の弾性部を各々組み立てることを特徴とする請求項１に記載の無線通信端末機用内蔵型アンテナ組立体。
【発明の詳細な説明】
【技術分野】
【０００１】
本発明は、無線通信端末機に内蔵されるアンテナ組立体に関する。特に本発明は、電気信号及び電波の通過経路を常に一定にして均一な性能を発揮し、構成部品を減らして製造原価を節減し、組立作業性を向上させ得る無線通信端末機用の内蔵型アンテナ組立体に関する。
【背景技術】
【０００２】
一般に、無線通信端末機は、PCS（personal communication service）端末機、PDA（Personal Digital Assistant）、スマートホン、次世代移動通信（IMT-２０００）端末機、無線LAN端末機などのような無線通信を通して音声、文字及び画像データなどを送受信し得る通信機器のことをいう。
【０００３】
かかる無線通信端末機には、送信及び受信感度を向上させる役目を果たすようヘリカルアンテナ（Helical Antenna）やダイポールアンテナ（Dipole Antenna）のようなアンテナが装着されるが、かかるアンテナは全て外装型アンテナで無線通信端末機の外部に突出している。
【０００４】
しかし、上記外装型アンテナは無指向輻射特性を有する利点があるが、アンテナが外部へ突出しているので、外力による破損の虞が大きく、携帯が困難であり、端末機の外観を美麗にデザインするのに問題があった。
【０００５】
したがって、かかる外装型アンテナの問題点を解決するために、外部へ突出させずに端末機の内部に実装されるアンテナとしてマイクロストリップパッチアンテナまたは逆F型アンテナのような平板構造のアンテナが用いられている。
【０００６】
図１は、従来の無線通信端末機に備えられる内蔵型アンテナ組立体を示す断面図である。図示するように、従来の内蔵型アンテナ組立体（１）には回路がパターン印刷された基板（１０）上に組み立てられるアンテナボディ（３０）を設け、上記アンテナボディ（３０）の上部面には平板アンテナ（２０）が備えられ、上記アンテナボディ（３０）には配置孔（３５）を貫通形成し、上記配置孔（３５）には上記基板（１０）と平板アンテナ（２０）を電気的に連結するように上下部端子（４１）（４２）、スプリング（４３）及び端子ホルダー（４４）から成る端子部（４０）が備えられる。
【０００７】
上記上部端子（４１）は、上記平板アンテナ（２０）の下部面に上部端が接し、上記下部端子（４２）は、上記基板（１０）の上部面に下部端が接し、上記スプリング（４３）は、上記上部端子（４１）と平板アンテナ（２０）との接触と、上記下部端子（４２）と基板（１０）との接触を維持するよう弾性力を提供するよう上記上下部端子（４１）（４２）間に備えられ、また上記配置孔（３５）に挿入配置される端子ホルダー（４４）は、上記上下部端子（４１）（４２）の外部離脱を防止しながら上記上下部端子（４１）（４２）と共にスプリング（４３）を内部配置するよう中空型部材で構成される。
【０００８】
かかる構成を有する従来の内蔵型アンテナ組立体（１）において、上記基板（１０）の回路から発生した電気信号は、上記下部端子（４２）、スプリング（４３）及び上部端子（４１）を経て平板アンテナ（２０）へ伝達されなければならない。
【０００９】
しかし、上記基板（１０）の電気信号が上記下部端子（４２）、端子ホルダー（４４）及び上部端子（４１）を経て平板アンテナ（２０）に伝達される他の経路を形成することがあるが、これは上記端子部（４０）の組立構造において上記上下部端子（４１）（４２）と端子ホルダー（４４）とが互いに接触するためである。
【００１０】
こうした場合、上記基板（１０）の電気信号または上記平板アンテナ（２０）に受信された信号が一定の経路を通過せず他の経路を通して伝達されると、使用環境と組立方法などに応じてアンテナが均一な性能を発揮しなくなり、よって無線通信端末機の信頼性を低下させる。
【００１１】
また、上記端子部（４０）は構成部品数が多いので、組立ラインにおいて組立作業性を低下させ、最終製品の製造原価を上昇させる原因となっていた。
【発明の開示】
【発明が解決しようとする課題】
【００１２】
したがって、本発明の目的は、上記のような従来の問題を解消するためのもので、その目的は電気信号と電波が通過する経路を常に一定にして均一な性能を発揮できる無線通信端末機の内蔵型アンテナ組立体を提供することである。
【００１３】
本発明のほかの目的は、構成部品を減らして製造原価を節減し、組立作業性を向上させられる無線通信端末機の内蔵型アンテナ組立体を提供することである。
【課題を解決するための手段】
【００１４】
上記のように目的を成し遂げるための技術的な構成として本発明は、無線通信端末機に内蔵されるアンテナ組立体において、基板;上記基板上に搭載され、上記基板の上部面一部が露出するよう貫通形成された配置部を少なくとも一つ以上備えるケース;上記基板の電気信号を外部へ放射し、外部信号を受信するよう上記ケースの上部面に搭載されるアンテナ部;上記基板とアンテナ部とを電気的に連結するよう上記基板とアンテナ部に上、下端が各々接し、上記基板、アンテナ部との接触状態を維持する弾性力を提供するよう上記配置部に配される弾性部;を含むことを特徴とする無線通信端末機用内蔵型アンテナ組立体を提供する。
【００１５】
好ましくは、上記配置部は内周面に上記弾性部の一部がかかる係止片を少なくとも一つ以上備える。
【００１６】
好ましくは、上記配置部は絶縁体で具備される。
【００１７】
好ましくは、上記アンテナ部は上記ケースの上面と略同一な大きさで具備される。
【００１８】
好ましくは、上記アンテナ部は上記ケースの上面に複数個具備される上部組立片に着脱可能に組み立てられるか上記ケースの上面にボンディング接着され一体で固定されるか、熱融着され一体で固定される。
【００１９】
好ましくは、上記弾性部は上記基板の上部面と接触する下端から上記アンテナ部の下部面と接触する上端まで延長される本体に弾性力を与えるよう少なくとも１サイクル以上の波形で屈曲するメアンダスプリングである。
【００２０】
より好ましくは、上記弾性部は本体が上端から下端へ向かって直径が漸次狭くなるよう具備されるか、上端から下端へ向かって直径が一定になるよう具備される。
【００２１】
より好ましくは、上記弾性部は本体の一部が互いに向き合わないよう両側へ交互に９０°ずつ折曲がったベンディング型メアンダスプリングで具備されるか、本体の一部が互いに向き合うよう両側に交互に９０°ずつ折曲がったベンディング型メアンダスプリングで具備されるか、本体の一部が一側と他側で相違する大きさの角度で交互に折曲がったベンディング型メアンダスプリングで具備される。
【００２２】
より好ましくは、上記弾性部は本体が幅を持つ広幅型メアンダスプリングで具備される。
【００２３】
好ましくは、上記弾性部は上記基板の上部面と接触する下端から上記アンテナ部の下部面と接触する上端まで延長される本体に弾性力を与えるよう少なくとも１サイクル以上折り曲げられたメアンダライン状を有するスプリングで構成される。
【００２４】
好ましくは、上記基板の上部面と接触する弾性部の下端と上記アンテナ部の下部面と接触する弾性部の上端は同一な垂直軸上に配される。
【００２５】
好ましくは、上記弾性部は上記基板の上部面と接触する下端から上記アンテナ部の下部面と接触する上端まで延長される本体に弾性力を与えるよう少なくとも１サイクル以上巻かれるコイルスプリングで具備される。
【００２６】
好ましくは、上記ケースには複数個の配置部を具備して、これに相違する形態の弾性部を各々組み立てる。
【００２７】
好ましくは、上記ケースには複数個の配置部を具備して、これに相互同じ形態の弾性部を各々組み立てる。
【発明の効果】
【００２８】
上記構成を有する本発明によると、基板から発生する電気信号とアンテナから受信した電波が絶縁体から成るケースの配置部に収容される弾性部を通してのみ伝達されることから電気信号と電波が伝わる経路が常に一定になるので、アンテナ組立体の放射性能及び受信性能が常に均一に維持されることができる。また、アンテナ部と基板とを電気的に連結する弾性部の構成部品を従来に比して減らしアンテナ組立体の製造原価を節減し、組立ラインにおける組立作業性を向上させられる効果が得られる。
【発明を実施するための最良の形態】
【００２９】
以下、添付の図により本発明をより詳しく説明すれば次のとおりである。図２は、本発明による無線通信端末機のアンテナ組立体の第１実施例を示す分解斜視図であり、図３は、本発明による無線通信端末機のアンテナ組立体の第１実施例を示す分解斜視図である。
【００３０】
本発明のアンテナ組立体（１００）は、図２と図３に示すように、電気信号が伝達される経路が常に一定に形成されるよう無線通信端末機の内部に装着されるもので、これは基板（１１０）、ケース（１２０）、アンテナ部（１３０）及び弾性部（１４０）を含む。
【００３１】
上記基板（１１０）は上部面に予め設計されたとおりパターン回路が印刷され複数個の電子部品が搭載される印刷回路基板であり、上記パターン回路には電気信号を外部へ送信し、外部信号が受信される送受信端子が少なくとも一つ以上具備される。
【００３２】
そして、上記ケース（１２０）は上記アンテナ部（３０）が具備されるよう上記基板（１１０）上に着脱可能に組み立てる構造物である。こうしたケース（１２０）は上記基板（１１０）の上部面一部を外部へ露出するよう中空型配置部（１２５）を本体に具備し、上記配置部（１２５）は上記基板（１１０）の上部面にパターン印刷される回路中アンテナ部（３０）に係わる送受信端子（１１２）と対応する。
【００３３】
ここで、上記配置部（１２５）とこれを含むケース（１２０）は絶縁体で構成されることが好ましく、上記配置部（１２５）の内部面にはこれに収容される弾性部（１４０）の胴体一部が干渉し係止される係止片（１２５a）を少なくとも一つ以上備える。
【００３４】
上記ケース（１２０）は図２と図３に示すように、下部が開放された略四角箱形態で具備されるがこれに限定されるわけではなく、無線通信端末機の形態に応じてその形態が多様に変化されることができる。また、上記配置部（１２５）もこれに収容される弾性部（１４０）の形状に応じて多様に変化されることができる。
【００３５】
上記ケース（１２０）の胴体左右両側には上記基板（１１０）との組立及び分解が容易なよう下部組立片（１２６）を各々具備し、胴体上部面には板状のアンテナ部（１３０）を簡便に固定できるよう複数個の上部組立片（１２７a）（１２７b）を備える。
【００３６】
そして、上記アンテナ部（１３０）は上記基板（１１０）の電気信号の伝達を受け、これを電波に変え外部へ放射し、遠くから送信された特定周波数帯域の電波を受信できるよう上記ケース（１２０）の上部面に搭載される。
【００３７】
こうしたアンテナ部（１３０）は、上記ケース（１２０）の側方へ突出して上記基板（１１０）に搭載される電子部品（図示せず）と接触することを防止するよう、上記ケース（１２０）の上面と略同一な大きさで具備されることが好ましい。ここで、上記アンテナ部（１３０）はマイクロストリップパッチアンテナまたは逆F型アンテナのような平板のアンテナを用いて備えることが好ましい。
【００３８】
一方、上記ケース（１２０）の配置部（１２５）に収容される弾性部（１４０）は、電気信号を発生させる基板（１１０）と電波を受信し放射するアンテナ部（１３０）とを電気的に連結するよう、上記基板（１１０）の上部面に形成された送受信端子（１１２）と下端（１４１）が接し、上記アンテナ部（１３０）の下部面に形成された他の送受信端子（１３２）と上端（１４３）が接する弾性部材である。
【００３９】
こうした弾性部（１４０）は上記基板（１１０）とケース（１２０）の結合時上記配置部（１２５）内において圧縮されながら上記基板（１１０）と下端（１４１）の間、そして上記アンテナ部（１３０）と上端（１４３）との接触状態を維持する弾性力を提供するのである。
【００４０】
ここで、上記弾性部（１４０）の上、下端（１４１）（１４３）は同一な垂直軸上に位置することが好ましく、基板（１１０）の上部面と上記アンテナ部（１３０）の上部面と各々点接触するか、溶接されるよう孤形断面状で具備される。
【００４１】
上記ケース（１２０）の配置部（１２５）に収容される弾性部（１４０）は、上記配置部（１２５）の内部面に形成された係止片（１２５a）によって本体一部が係止され下部への離脱が防止される同時に、上記ケース（１２０）の上部面に装着されたアンテナ部によって上部への離脱が防止される。こうして、上記基板（１１０）のみ除去されたアンテナ組立体（１００）をセット業者に納品する作業を上記弾性部（１４０）の紛失の虞無く行えるようになる。
【００４２】
さらに、上記弾性部（１４０）は、上記基板（１１０）の電気信号が上記アンテナ部（１３０）へ伝達され、受信した外部電波が上記基板（１１０）へ伝達される唯一な通路の役目を果たす同時に、上記電気信号が伝達される弾性部（１４０）自体にも電気信号を外部へ放射する放射現象が発生する。こうして、上記アンテナ部（１３０）による基本的な放射と共に上記弾性部（１４０）による追加的な放射が同時に行われ、アンテナ性能をより向上させられるのである。
【００４３】
この際、上記弾性部（１４０）から発生する放射性能は本体の形状、長さ及び直径の大きさを変化させることにより多様に可変させることができる。
【００４４】
また、上記弾性部（１４０）は、上記基板（１１０）の上部面と接触する下端（１４１）から上記アンテナ部（１３０）の下部面と接触する上端（１４３）まで延長される本体に一定の大きさの弾性力を与えられるよう少なくとも１サイクル以上一定の波形で屈曲するメアンダスプリングで構成される。
【００４５】
ここで、上記弾性部（１４０）の本体は図２と図３に示すように、上端（１４３）から下端（１４１）へ向かうほど直径が漸次狭くなるスプリングで備えることができる。そして、上記弾性部（１４０a）の本体は図４と図５に示すように、上端（１４３）から下端（１４１）へ向かって直径が一定なスプリングで備えることもできる。
【００４６】
こうした場合、直径が一定な本体を有する弾性部（１４０a）は、直径が可変的な本体を有する弾性部（１４０）よりその形成長さをより長く具備できるので上記弾性部（１４０a）自体から発生する放射性能をより高めることができる。
【００４７】
また、上記弾性部（１４０c）は図９（a）に示すように、上端（１４３）から下端（１４１）へ進行しながら波形で屈曲する本体の一部が互いに向き合わないよう両側交互に９０°ずつ折曲がったベンディング型メアンダスプリングで備えることができ、上記弾性部（１４０d）は図９（b）に示すように、上端（１４３）から下端（１４１）へ進みながら波形で屈曲する本体の一部が互いに向き合うよう両側へ交互に９０°ずつ折曲がったベンディング型メアンダスプリングで備えることができ、上記弾性部（１４０e）は図９（c）に示すように、上端（１４３）から下端（１４１）に進行しながら波形で屈曲する本体の一部が一側と他側とで相違する大きさの角度で交互に折曲がったベンディング型メアンダスプリングで備えることができる。 
【００４８】
また、上記弾性部（１４０f）は、図９（d）に示すように上端（１４３）から下端（１４１）へ向かってサイン波形で屈曲する本体が一定の大きさの幅を有する広幅型メアンダスプリングで具備してもよい。
【００４９】
そして、上記弾性部（１４０b）は図６と図７に示すように、上記アンテナ部（１３０）の下部面と接触する上端（１４３）から上記基板（１１０）の上部面と接触する下端（１４１）まで延長される本体に弾性力を与えるよう少なくとも１回以上巻き取られた円筒型コイルスプリングで具備してもよい。
【００５０】
この際、上記円筒型コイルスプリングで具備される弾性部（１４０b）が配される配置部（１２５）の内部面下部には上記基板（１１０）からの分解時上記弾性部（１４０b）が下部へ離脱することを防止するよう本体一部が係止される小内径部（１２５b）を備える。
【００５１】
ここで、多様な形態を有する弾性部（１４０）（１４０b）（１４０c）（１４０d）（１４０e）（１４０f）が収容される配置部（１２５）は上記弾性部の多様な形態に合わせて中空形で具備され、上記弾性部（１４０）（１４０b）（１４０c）（１４０d）（１４０e）（１４０f）の形成長さは上記配置部（１２５）内に挿入された後無負荷状態である場合上記弾性部の両端一部が上記配置部の上、下部に露出するよう上記配置部（１２５）より長く備えることが好ましい。
【００５２】
一方、本発明のアンテナ組立体（１００）（１００a）（１００b）を構成する組立作業は図２ないし図７に示すように、先ず採用したい弾性部（１４０）（１４０a）（１４０b）の形状に合うよう形成された配置部（１２５）を備えるケース（１２０）を設ける。
【００５３】
そして、上記弾性部（１４０）（１４０a）（１４０b）は上記ケース（１２０）の配置部（１２５）の上部から下端（１４１）が挿入され上記配置部（１２５）内に収容され、この際上記弾性部（１４０）（１４０a）（１４０b）の上、下端は無負荷状態において上記配置部（１２５）の開放された上、下部へ露出する。
【００５４】
次いで、上記ケース（１２０）の直上部には上記ケース（１２０）の上部面と略同一な平板から成るアンテナ部（１３０）を配した後、上記アンテナ部（１３０）の外側縁部が上記ケース（１２０）の上部面に形成された複数個の上部組立片（１２７a）（１２７b）に係合され固定されるよう上部から下部へ加圧して組み立てる。
【００５５】
または、上記ケース（１２０）とアンテナ部（１３０）はこれらの間に介在するボンディング剤（図示せず）によって相互ボンディング接着されるか熱融着され一体で組み立てられても良い。
【００５６】
こうした場合、上記配置部（１２５）に収容された弾性部（１４０）（１４０a）（１４０b）の上端（１４３）は上記アンテナ部（１３０）の下部面に形成された送受信端子（１３２）と対応して接触するが、これは上記ケース（１２０）とアンテナ部（１３０）を互いに組み立てる際上記アンテナ部（１３０）の下部面に形成された送受信端子（１３２）と上記配置部（１２５）の上部とを相互一致させるためである。
【００５７】
さらに、上記アンテナ（１３０）の送受信端子（１３２）と上記弾性部（１４０）（１４０a）（１４０b）の上端（１４３）との接触は上記ケース（１２０）とアンテナ部（１３０）とを互いに組み立てる際上記弾性部（１４０）（１４０a）（１４０b）の本体一部が上記配置部（１２５）の係止片（１２５）に係止された状態で圧縮されながら発生する弾性力によって維持されるのである。
【００５８】
これと共に、上記弾性部（１４０）（１４０a）（１４０b）は上記係止片（１２５）との係止によって上記配置部の下部への離脱が防止されるので、上記ケース、アンテナ部及び弾性部のみを仮組立した状態でセット業者に安全に納めることができる。
【００５９】
次いで、上部面に所定のRF回路がパターン印刷された基板の直上部には上記アンテナ部（１３０）と弾性部（１４０）（１４０a）（１４０b）が組み立てられたケース（１２０）を位置させた状態でこれを直下部へ下降させると、上記ケース（１２０）の下部に具備された複数個の下部組立片（１２６）が上記基板（１１０）の外側端に弾性力で係止されながら組み立てられる。 
【００６０】
こうした場合、上記基板（１１０）の上部面にパターン印刷された回路の送受信端子（１１２）は上記配置部（１２５）の下部へ露出される弾性部（１４０）（１４０a）（１４０b）の下端（１４１）と接触するので、上記基板（１１０）、弾性部（１４０）（１４０a）（１４０b）及びアンテナ（１３０）は電気信号及び電波が一定な経路に伝達される一連の回路を構成するようになる。
【００６１】
この際、上記基板（１１０）の送受信端子（１１２）と上記弾性部（１４０）（１４０a）（１４０b）の下端（１４１）との接触は上記基板（１１０）とケース（１２０）とを互いに組み立てる際再度圧縮される弾性部（１４０）（１４０a）（１４０b）の弾性力によって維持される。
【００６２】
そして、本発明のアンテナ組立体（１００c）（１００d）は各ケース（１２０）に複数個の配置部（１２５）を具備した後、図８（a）に示すように相違する形態、例えばメアンダスプリング形態を有する弾性部（１４０）とコイルスプリング形態を有する他の弾性部（１４０b）を各々上記配置部（１２５）に収容して組み立てることができ、図８（b）に示すように相互同一な形態、例えばメアンダスプリング形態を有する弾性部（１４０b）を各々上記配置部（１２５）に収容して組み立てることができる。
【００６３】
こうした場合、上記アンテナ組立体（１００c）（１００d）の電気信号放射性能は上記弾性部が具備される個数に比例して増加し、アンテナの信頼性を向上させられるのである。
【００６４】
一方、上記アンテナ組立体（１００）（１００a）（１００b）（１００c）（１００d）が無線通信端末機に用いられた状態において、無線通信端末機の通話ボタンを押すと、通話ボタンによる基板（１１０）の電気信号は基板（１１０）の送受信端子（１１２）と下端（１４１）が接触する弾性部（１４０）を通して上記弾性部（１４０）の上端（１４３）と接触するアンテナ部（１３０）へ伝達される。
【００６５】
次いで、上記アンテナ部（１３０）へ伝達された電気信号は上記アンテナ部（１３０）において予め設定された周波数帯域の電波に転換された後外部へ放射される。
【００６６】
そして、外部に放射された電波は上記アンテナ部（１３０）に予め設定された周波数帯域の電波のみ受信され、受信された電波は上記とは逆に上記弾性部を通して上記基板の回路側に伝達し、伝達した電波は復調及びデコーディング過程を経て電気信号に転換した後、ユーザーに音声または画面に伝達されるのである。
【００６７】
本発明は特定の実施例に係わり図示し説明したが、特許請求範囲により具備される本発明の精神や分野を外れない限度内において本発明を多様に改造及び変化できることは当業界において通常の知識を有する者であれば容易に想到できることを明かしておく。
【図面の簡単な説明】
【００６８】
【図１】従来の無線通信端末機に具備される内蔵型アンテナ組立体を示す断面図である。
【図２】本発明による無線通信端末機のアンテナ組立体の第１実施例を示す分解斜視図である。
【図３】本発明による無線通信端末機のアンテナ組立体の第１実施例を示す分解斜視図である。
【図４】本発明による無線通信端末機のアンテナ組立体の第２実施例を示す分解斜視図である。
【図５】本発明による無線通信端末機のアンテナ組立体の第２実施例を示す分解斜視図である。
【図６】本発明による無線通信端末機のアンテナ組立体の第３実施例を示す分解斜視図である。
【図７】本発明による無線通信端末機のアンテナ組立体の第３実施例を示す分解斜視図である。
【図８（ａ）】本発明による無線通信端末機のアンテナ組立体に相違する形態の弾性部が収容される分解斜視図である。
【図８（ｂ）】本発明による無線通信端末機のアンテナ組立体に相互同一な形態の弾性部が収容される分解斜視図である。
【図９】本発明による無線通信端末機のアンテナ組立体に用いられる弾性部を示し、（a）（b）（c）はベンディング型メアンダスプリング、（d）は広幅型メアンダスプリングである。
【符号の説明】
【００６９】
１１０  基板
１１２、１３２  送受信端子
１２０  ケース
１２５  配置部
１２５a  係止片
１２６  下部組立片
１２７a、１２７b  上部係止片
１３０  アンテナ部
１４０、１４０a、１４０b、１４０c、１４０d、１４０f  弾性部
１４１  下端
１４３  上端
【図１】
2006180447.tif 000003
【図２】
2006180447.tif 000004
【図３】
2006180447.tif 000005
【図４】
2006180447.tif 000006
【図５】
2006180447.tif 000007
【図６】
2006180447.tif 000008
【図７】
2006180447.tif 000009
【図８（ａ）】
2006180447.tif 000010
【図８（ｂ）】
2006180447.tif 000011
【図９】
2006180447.tif 000012